(57)【要約】【課題】高齢者等の見守りは、画像・音声等をそのまま送信するとプライバシーの問題が生じる。また、高齢者等は機械操作が苦手で、情報通信端末・電化製品の設定やメール送信等が困難な場合がある。被監視者の健康状態、居住環境、安全等をさりげなく見守るシステムが必要である。【解決手段】被監視者の情報通信端末・電化製品にソフトウェアまたはハードウェアとして組込んだ、目覚まし時計や仏壇・仏具・神棚や電子楽器や医療器具・健康器具や気象計器・測定器やセンサー・セキュリティ機器等の音・音のパターンやデータ・操作情報等、生活音や声・心音・足音等を自動認識し、情報通信網を通じて監視者に送信し、被監視者の健康状態、居住環境、安全等の安否情報を通知する。また、情報通信端末の待受けアプリや常駐アプリで、送信された情報を待受け画面に自動的に表示し、簡単なボタン操作や音声入力等で意思を入力し情報通信網を通じて監視者に通知する。【選択図】  図１
2005196812.tif 000002
【特許請求の範囲】
【請求項１】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末で、当該情報通信端末の音、当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電気・ガス・水道等のメータ類や電子温度計・湿度計・気圧計・風速計・雨量計・日射計・震度計等の気象計器や照度計・騒音計・水質計・臭気測定器・花粉測定器等の測定器やアールエフアイディー・位置・傾斜・振動・速度・電磁波・放射線・光・紫外線・赤外線・マイクロ波・磁気・電流・電圧・色・ペーハー等のセンサー・セキュリティ機器等の音、または、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の音、時計の音・目覚まし時計のアラーム音や仏具・お経・柏手の音やライター・マッチ・ドア・戸・窓・家具の音や玄関・台所・風呂・トイレやピアノ等の楽器の音や老人・要介護者・障害者・病人・妊婦・胎児・乳幼児・ペット等の被監視者の声・心音・足音等といった生活音を登録する登録機能と、音声を集音する集音機能と、集音した音声の中から登録した音声を検出する音声検出機能と、音声検出した結果を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする生活見守りシステム。  
【請求項２】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末で、当該情報通信端末の音のパターン、当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電気・ガス・水道等のメータ類や電子温度計・湿度計・気圧計・風速計・雨量計・日射計・震度計等の気象計器や照度計・騒音計・水質計・臭気測定器・花粉測定器等の測定器やアールエフアイディー・位置・傾斜・振動・速度・電磁波・放射線・光・紫外線・赤外線・マイクロ波・磁気・電流・電圧・色・ペーハー等のセンサー・セキュリティ機器等の音のパターン、またはテレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の音のパターン、時計の音・目覚まし時計のアラーム音や仏具・お経・柏手の音やライター・マッチ・ドア・戸・窓・家具の音や玄関・台所・風呂・トイレ・ピアノ等の楽器の音や老人・要介護者・障害者・病人・妊婦・胎児・乳幼児・ペット等の被監視者の声・心音・足音等といった生活音のパターンを登録する登録機能と、音声を集音する集音機能と、集音した音声の中から登録した音声のパターンを認識する音声認識機能と、音声認識した音声のパターンに応じた内容の音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等を、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを備えていることを特徴とする請求項１記載の生活見守りシステム。
【請求項３】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末で、当該情報通信端末のデータ・操作情報等、当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電子温度計・湿度計・気圧計・風速計・雨量計・日射計・震度計等の気象計器や照度計・騒音計・水質計・臭気測定器・花粉測定器等の測定器・メータ類やアールエフアイディー・位置・傾斜・振動・速度・電磁波・放射線・光・紫外線・赤外線・マイクロ波・磁気・電流・電圧・色・ペーハー等のセンサー・セキュリティ機器等のデータ・操作情報等、またはテレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のデータ・操作情報等を自動認識する自動認識機能と、自動認識した結果を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする生活見守りシステム。
【請求項４】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品で、定刻にアラームを作動する目覚まし機能と、アラーム作動時刻の設定および安否確認結果の送付先アドレスを、被監視者および／または監視者から遠隔操作でも登録可能な登録機能と、アラームの音や振動・光等を被監視者がボタン操作やタッチパネル・文字入力・音声入力・人感センサー等により停止したか一定時間停止しなかったか、スヌーズ機能で何度も作動したり停止していることや、バッテリーが切れていたり電源がオフになっていたりアラーム設定を解除していたりしてアラームが作動しなかった等の操作情報を自動認識する自動認識機能と、自動認識した結果を公衆回線網による加入電話・ファクシミリ・アイエスディーエヌ・パソコン通信、携帯電話・パーソナルハンディホン・自動車電話・ページャ等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする請求項１、２または３記載の生活見守りシステム。
【請求項５】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、被監視者の希望する時刻に音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等の情報を送信する送信機能と、当該送信情報を受信した際の着信音や振動・光等を被監視者がボタン操作やタッチパネル・文字入力・音声入力・人感センサー等により停止したか一定時間停止しなかったか等の操作情報、または当該送信情報の内容に対する被監視者の操作情報を自動認識する自動認識機能と、自動認識した結果を公衆回線網による加入電話・ファクシミリ・アイエスディーエヌ・パソコン通信、携帯電話・パーソナルハンディホン・自動車電話・ページャ等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする請求項１から４のいずれか１項に記載の生活見守りシステム。
【請求項６】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末の待受けアプリケーションや常駐アプリケーション、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の待受けアプリケーションや常駐アプリケーションで、当該情報通信端末や当該電化製品で定刻にアラームを作動する目覚まし機能と、アラーム作動時刻の設定および安否確認結果の送付先アドレスを被監視者および／または監視者から遠隔操作でも登録可能な登録機能と、アラームの音や振動・光等を被監視者がボタン操作やタッチパネル・文字入力・音声入力・人感センサー等により停止したか一定時間停止しなかったか、スヌーズ機能で何度もアラームが作動したり停止していることや、バッテリーが切れていたり電源がオフになっていたりアラーム設定を解除していたりしてアラームが作動しなかった等の操作情報を自動認識する自動認識機能と、自動認識した結果を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする請求項１から５のいずれか１項に記載の生活見守りシステム。
【請求項７】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末の待受けアプリケーションや常駐アプリケーション、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の待受けアプリケーションや常駐アプリケーションで、当該情報通信端末や当該電化製品の待受け画面に家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から送付された、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等を自動的に表示・出力する表示・出力機能と、表示・出力した内容に対し被監視者が方向キーやファンクションキーを押す等の簡単なボタン操作やタッチパネル・文字入力・音声入力・人感センサー等で意思を入力する入力機能と、入力した情報を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする請求項１から６のいずれか１項に記載のシステム。
【請求項８】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末の待受けアプリケーションや常駐アプリケーション、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の待受けアプリケーションや常駐アプリケーションで、当該情報通信端末や当該電化製品の待受け画面に相手方の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、ニュース・占い・天気予報・緊急放送・災害情報・災害用伝言板・伝言板・道路交通情報・テレビやラジオの番組表・写真・テレビ番組・映画・プロモーションビデオ・商品情報・広告・アンケート・懸賞・くじ・為替・株式・囲碁・将棋・釣情報等を自動的に取得する取得機能と、取得した情報を当該情報通信端末や当該電化製品の待受け画面に自動的に表示・出力する表示・出力機能と、表示・出力した内容に対し被監視者が方向キーやファンクションキーを押す等の簡単なボタン操作やタッチパネル・文字入力・音声入力・人感センサー等で意思を入力する入力機能と、入力した情報を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する通知機能とを有することを特徴とする請求項１から７のいずれか１項に記載のシステム。
【請求項９】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品で、家族・介護者・医者・飼い主等の監視者の声・声のパターンや発信者番号・アドレスを登録する登録機能と、当該情報通信端末や当該電化製品に相手方の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて送信された、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等の情報の中から、登録した家族・介護者・医者・飼い主等の監視者の声・声のパターンや発信者番号・アドレスを自動認識する自動認識機能と、自動認識した結果を音声・信号・光・データ・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のディスプレイ・ランプ・プリンタ・コピー機・プロジェクタ・スピーカ・ヘッドホン等の出力装置に出力して、家族・介護者・医者・飼い主等の監視者の声・声のパターンや発信者番号・アドレスと一致するか否かを通知する通知機能とを有することを特徴とする請求項１から８のいずれか１項に記載の生活見守りシステム。
【請求項１０】
被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に、請求項１から９のいずれか１項に記載の生活見守りシステムをプリインストール、またはネットワークを通じてダウンロードしたりメディアからインストールして実行するプロセスと、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、自動認識した情報を携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のディスプレイ・ランプ・プリンタ・コピー機・プロジェクタ・スピーカ・ヘッドホン等の出力装置に出力して安否を通知するプロセスとを有することを特徴とする生活見守り方法。
【発明の詳細な説明】
【技術分野】
【０００１】
本発明は、生活見守りシステムおよび方法に関する。
【背景技術】
【０００２】
近年、インターネットを利用した生活見守りシステムが主流になってきている。以下はその中でも優れたアイディアである。
【特許文献１】特開２００２−３００５６９号公報（ネットワークカメラによる監視方法と監視システム）
【特許文献２】特開２００２−３１４７１４号公報（安否確認方法およびデジタルテレビジョン受信装置）
【特許文献３】特開２００４−２５２６４４号公報（コミュニケーション装置、コミュニケーション方法、プログラム、及び記憶媒体）
【特許文献４】特開２００４−２９４２３６号公報（目覚ましシステム）
【発明の開示】
【発明が解決しようとする課題】
【０００３】
老人・要介護者・障害者・病人・妊婦・胎児・乳幼児・ペット等の被監視者の見守りは、画像・音声等をそのまま送信するとプライバシーの問題が生じる。また、上記被監視者は機械操作が苦手で、情報通信端末・電化製品の設定やメール等による意志表示が困難な場合がある。さらに、振込め詐欺等の増加から、監視者が本人であるかどうかの確認も必要になる。被監視者の健康状態、居住環境、安全等を、さりげなく見守るシステムが必要である。
【０００４】
本発明は、被監視者が監視されているという不快感を軽減する、シンプルで安価な、操作性が良く、温かみのあるシステムを実現することを目的とするものである。
【課題を解決するための手段】
【０００５】
そして、本発明は上記目的を達成するために、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末で、当該情報通信端末の音や音のパターン、当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電気・ガス・水道等のメータ類や電子温度計・湿度計・気圧計・風速計・雨量計・日射計・震度計等の気象計器や照度計・騒音計・水質計・臭気測定器・花粉測定器等の測定器やアールエフアイディー・位置・傾斜・振動・速度・電磁波・放射線・光・紫外線・赤外線・マイクロ波・磁気・電流・電圧・色・ペーハー等のセンサー・セキュリティ機器等の音や音のパターン、またはテレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の音や音のパターン、時計・目覚まし時計のアラームや仏壇・仏具・神棚やライター・マッチ・ドア・戸・窓・家具や玄関・台所・風呂・トイレやピアノ等の楽器や老人・要介護者・障害者・病人・妊婦・胎児・乳幼児・ペット等の被監視者の声・心音・足音といった生活音や生活音のパターン、または当該情報通信端末のデータ・操作情報等、または当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電気・ガス・水道等のメータ類や電子温度計・湿度計・気圧計・風速計・雨量計・日射計・震度計等の気象計器や照度計・騒音計・水質計・臭気測定器・花粉測定器等の測定器やアールエフアイディー・位置・傾斜・振動・速度・電磁波・放射線・光・紫外線・赤外線・マイクロ波・磁気・電流・電圧・色・ペーハー等のセンサー・セキュリティ機器等のデータ・操作情報等、またはテレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のデータ・操作情報等を自動認識し、自動認識した結果を公衆回線網による加入電話・ファクシミリ・アイエスディーエヌ・パソコン通信、携帯電話・パーソナルハンディホン・自動車電話・ページャ等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知するようにしたものである。例えば、被監視者の情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具等の利用状況を、家族・介護者・医者・飼い主等の監視者の情報通信端末や電化製品に送信し健康状態を通知したり、冷暖房機、空調機・除湿器・加湿器・エアクリーナー・酸素発生器・マイナスイオン発生器・換気扇、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等で、被監視者の部屋や老人ホーム・介護施設・病院等の温度・湿度・花粉やほこりの飛散状況等の居住環境や、防犯・防災といった安全を自動認識し、ネットワークを通じて監視者の情報通信端末や電化製品に通知し、監視者側から遠隔操作でこれらの機器をコントロールする。電力線通信（電灯線通信）が普及すれば、より簡単に被監視者の情報通信端末や家電製品の音・音のパターンやデータ・操作情報等で、監視者の情報通信端末や電化製品に、被監視者の健康状態、居住環境、安全等の安否情報を通知できる。
【０００６】
また第２の課題解決手段は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末の待受けアプリケーションや常駐アプリケーション、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の待受けアプリケーションや常駐アプリケーションで上記手段を実現したり、当該情報通信端末や当該電化製品の待受け画面に、相手方の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から送付された、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニーション・ゲーム等や、ニュース・占い・天気予報・緊急放送・災害情報・災害用伝言板・伝言板・道路交通情報・テレビやラジオの番組表・写真・テレビ番組・映画・プロモーションビデオ・商品情報・広告・アンケート・懸賞・くじ・為替・株式・囲碁・将棋・釣情報等を自動的に表示・出力し、表示・出力した内容に対し被監視者が方向キーやファンクションキーを押す等の簡単なボタン操作やタッチパネル・文字入力・音声入力・人感センサー等で意思を入力し、入力した情報を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する。これにより、機械操作が苦手な被監視者でも、情報通信端末・電化製品の利用やメール等によるコミュニケーションを可能にする。
【０００７】
さらに、第３の課題解決手段は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品で、家族・介護者・医者・飼い主等の監視者の声・声のパターンや発信者番号・アドレスを登録し、相手方の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて送信された、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等の情報の中から、登録した家族・介護者・医者・飼い主等の監視者の声・声のパターンや発信者番号・アドレスを認識し、認識した結果を音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のディスプレイ・ランプ・プリンタ・コピー機・プロジェクタ・スピーカ・ヘッドホン等の出力装置に出力して通知することにより、監視者本人であることを確認し、振込め詐欺や不法侵入等を防ぐ。
【０００８】
さらに、第４の課題解決手段は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に、上記手段をプリインストールまたはネットワークを通じてダウンロードしたりメディアからインストールして実行し、ソフトウェアとして内部組込みとすることにより専用のハードウェアを不要とし、当該情報通信端末や当該電化製品との親和性を高めるものである。
【発明の効果】
【０００９】
上述したように本発明は、被監視者の情報通信端末で、当該情報通信端末の音・音のパターンやデータ・操作情報等、または当該情報通信端末にソフトウェアまたはハードウェアとして組込んだ、時計・目覚まし時計のアラームや仏壇・仏具・神棚や電子楽器や医療器具・健康器具や気象計器・測定器やセンサー・セキュリティ機器等の音・音のパターンやデータ・操作情報等、電化製品の音・音のパターンやデータ・操作情報等、時計・目覚まし時計のアラームや仏具・お経・柏手やライター・マッチ・ドア・戸・窓・家具や玄関・台所・風呂・トイレやピアノ等の楽器や老人・要介護者・障害者・病人・妊婦・胎児・乳幼児・ペット等の被監視者の声・心音・足音といった生活音や生活音のパターンを自動認識し、自動認識した結果をインターネット等の情報通信網を通じて、監視者の情報通信端末や電化製品に送信し、被監視者の健康状態、居住環境、安全といった安否情報を通知する。また、情報通信端末の待受けアプリケーションや常駐アプリケーションで、相手方の情報通信端末や電化製品から送信された情報を待受け画面に自動的に表示し、表示した内容に対し被監視者が方向キーやファンクションキーを押す等の簡単なボタン操作やタッチパネル・文字入力・音声入力・人感センサー等で意思を入力し、情報通信網を通じて監視者に通知する。これらにより、被監視者のプライバシーを守り、さりげなく安価で、使い勝手の良い生活見守りシステムを実現できる。
【発明を実施するための最良の形態】
【００１０】
請求項１は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末で、当該情報通信端末の音、当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電気・ガス・水道等のメータ類や電子温度計・湿度計・気圧計・風速計・雨量計・日射計・震度計等の気象計器や照度計・騒音計・水質計・臭気測定器・花粉測定器等の測定器やアールエフアイディー・位置・傾斜・振動・速度・電磁波・放射線・光・紫外線・赤外線・マイクロ波・磁気・電流・電圧・色・ペーハー等のセンサー・セキュリティ機器等の音、または、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の音、時計の音・目覚まし時計のアラーム音や仏具・お経・柏手の音やライター・マッチ・ドア・戸・窓・家具の音や玄関・台所・風呂・トイレやピアノ等の楽器の音や老人・要介護者・障害者・病人・妊婦・胎児・乳幼児・ペット等の被監視者の声や心音や足音等といった生活音を登録し、集音マイクで集音した音声の中から登録した音声を検出し、音声検出した結果を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する。例えば、狭い日本の住宅事情や核家族化を考え、携帯電話・パソコン・デジタルテレビ等の情報通信端末に、仏壇・仏具・神棚等をアプリケーションソフトや外付け装置として組込み、仏具・お経・柏手の音等を自動認識し、自動認識した結果を情報通信網を通じて家族・介護者・医者等の監視者の情報通信端末や電化製品に送信し安否を通知する。また、仏壇の鐘（りん）の音や目覚まし時計のアラームの停止といった被監視者の能動的な行為の結果を自動認識して安否を伝えることで、被監視者が監視されているという不快感を軽減することができる。さらに、玄関ドアの音を認識することで、単身赴任や就職・進学で離れた家族がきちんと会社や学校に行っているか、引きこもっていないか、定刻に帰宅しているか等がわかる。また、風呂・トイレ等の場合、一定時間以上音がしない場合のみアラームを送信することで、被監視者のプライバシーを守ることができる。あるいは、ライター・マッチの音を検知し、アラームを作動し通知して、失火・放火を防止する。
【００１１】
請求項２は、図３の記憶装置４０で老人・要介護者・障害者・病人・妊婦・胎児・乳幼児・ペット等の被監視者１０の声・心音・足音等のパターンを登録し、入力装置３０の集音マイクで集音した音声の中から、登録した音声のパターンを中央処理装置２０で認識し、通信装置５０でパターンに応じて「寂しい」「お腹が空いた」といった内容の音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等を、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網９０を通じて、家族・介護者・医者・飼い主等の監視者のパーソナルコンピュータ７０や携帯電話８０に送信し安否を通知する。老人・要介護者・障害者・病人・乳幼児等の被監視者で、明瞭に言語を発することはできないが家族・介護者・医者等には理解できる場合、あらかじめパターンを登録しておき、発せられた言語を他の人にもわかるように音声や電子メール等に置換えて送信する。また、ペット等、本来会話できない被監視者から音声のパターンに応じた内容の会話や電子メール等が送られてくるのも楽しいし、音声をトリガーにして画像送信することもできる。さらに、被監視者の声や心音や足音等に異常がある場合のみ被監視者の音声・画像等を送信することにより、被監視者のプライバシーを守り、伝送効率を上げることもできる。あるいは、ピアノ等の楽器の練習内容・音色等を自動認識し、情報通信網を通じて相手方に送信し、レッスンを受けたり健康状態・精神状態を判断する。
【００１２】
請求項３は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末で、当該情報通信端末のデータ・操作情報等、当該情報通信端末にソフトウェアまたはハードウェアとして組込んだ、時計・目覚まし時計のアラームや仏壇・仏具・神棚やテレビ・ラジオ・ステレオ・コンポ・カラオケ・電子楽器・ライト・ヒーター・ホットカーペット・扇風機・エアクリーナー・酸素発生器・マイナスイオン発生器や心音計・血圧計・電子体重計・体脂肪計・電子体温計・補聴器・治療器等の医療器具や電子歩数計・電動歯ブラシ・電気シェーバー・ドライヤー・美容機器・マッサージ機器等の健康器具や電子温度計・湿度計・気圧計・風速計・雨量計・日射計・震度計等の気象計器や照度計・騒音計・水質計・臭気測定器・花粉測定器等の測定器・メータ類やアールエフアイディー・位置・傾斜・振動・速度・電磁波・放射線・光・紫外線・赤外線・マイクロ波・磁気・電流・電圧・色・ペーハー等のセンサー・セキュリティ機器等のデータ・操作情報等、またはテレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のデータ・操作情報等を自動認識し、自動認識した結果を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する。例えば、携帯電話・パソコン・デジタルテレビ等にソフトウェアまたはハードウェアとして組込んだ時計・目覚まし時計のアラームや仏壇・仏具・神棚のデータ・操作情報等を、情報通信網を通じて家族・介護者・医者等の監視者の情報通信端末や電化製品に送信し安否を伝える。また、治療器・血圧計・電子体重計・体脂肪計・電子体温計・補聴器等の医療器具、電子歩数計・電動歯ブラシ・電気シェーバー・ドライヤー・美容機器・マッサージ機器・酸素発生器・マイナスイオン発生器・整水器・浄水器・温水洗浄便座等の健康器具等のデータ・操作情報等を家族・介護者・医者・飼い主等の監視者に送信し健康状態を通知したり、利用に応じてポイントを加算し保険料を安くする等のサービスも考えられる。また、冷暖房機・空調機・エアクリーナー・換気扇、酸素発生器・マイナスイオン発生器、電子温度計・メータ類・測定器・センサー・セキュリティ機器等で被監視者の部屋や老人ホーム・介護施設・病院等の温度・湿度・花粉やほこりの飛散状況等の居住環境や防犯・防災等の安全を自動認識し、ネットワークを通じて監視者に通知して、監視者側から遠隔操作でこれらの機器をコントロールすることもできる。あるいは、自動販売機や公衆電話・ポスト・街灯・電信柱・アンテナ等にセンサーやセキュリティ機能を付加し、老人・子供・ペット等の被監視者の名札・靴・鞄・財布・携帯電話等に取付けたアイシータグを認識し、家族等の監視者に現在地や移動経路を通知し安全確認する。また、痴漢・引ったくり等の事件や事故・病気等の緊急時に自動販売機や公衆電話・ポスト・街灯・電信柱等に内蔵したアラームを作動させ、アラームをトリガーとして通信可能状態にし、本人との通話や周辺の音声・画像・アラームのオン／オフや操作情報ならびに位置情報を警察や監視センターに通知する。さらに、携帯電話や情報通信端末のカメラやスキャナーで、自動販売機や公衆電話・ポスト・電信柱等に取付けたバーコード・二次元バーコード・アイシータグを読取り、位置情報を取得したり通知する。また、携帯電話や情報通信端末に組込んだ、防犯ブザーをトリガーとして通信可能状態にし、家族・監視センター・警察等と通話したり画像送信する。
【００１３】
請求項４は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品で、定刻にアラームを作動する目覚まし機能で、アラーム作動時刻の設定および安否確認結果の送付先アドレスを被監視者および／または監視者から遠隔操作でも登録可能とし、アラームの音や振動・光等を被監視者がボタン操作やタッチパネル・文字入力・音声入力・人感センサー等により停止したか一定時間停止しなかったか、スヌーズ機能で何度も作動したり停止していることや、バッテリーが切れていたり電源がオフになっていたりアラーム設定を解除していたりしてアラームが作動しなかった等の操作情報を自動認識し、自動認識した結果を公衆回線網による加入電話・ファクシミリ・アイエスディーエヌ・パソコン通信、携帯電話・パーソナルハンディホン・自動車電話・ページャ等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する。例えば、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、ＩＣレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー、カーナビゲーションシステム・管理システム・監視システム、銀行エーティーエム・両替機・自動販売機・券売機・ポスシステム・レジスター、無線機・レーダー・ジーピーエス・魚群探知機・リモコン・ゲーム機等の情報通信端末に目覚まし機能を組込み、アラームの音や振動・光等を被監視者がボタン操作やタッチパネル・文字入力・音声入力・人感センサー等により停止したか停止しなかったか等の操作情報を自動認識し、自動認識した結果を情報通信網を通じて家族・介護者・医者・飼い主等の監視者の情報通信端末や電化製品に送信し、当該監視者の情報通信端末や電化製品のディスプレイ・ランプ・プリンタ・コピー機・プロジェクタ・スピーカ・ヘッドホン等の出力装置に出力して安否を通知する。さらにアラームを停止しなかった場合、一定時間後に再度アラームを自動的に作動させるようにソフトウェアを実装し安否を再確認することもできる。国際ローミングに対応して、海外単身赴任・海外出張や留学・海外旅行の場合でも、時差や通話料を気にすることなく、安否を確認できる。
【００１４】
請求項５は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に、家族・介護者・医者・飼い主等の監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、被監視者の希望する時刻に音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等の情報を送信し、当該送信情報を受信した際の着信音や振動・光等を被監視者がボタン操作やタッチパネル・文字入力・音声入力・人感センサー等により停止したか一定時間停止しなかったか等の操作情報、または当該送信情報の内容に対する被監視者の操作情報を自動認識し、自動認識した結果を公衆回線網による加入電話・ファクシミリ・アイエスディーエヌ・パソコン通信、携帯電話・パーソナルハンディホン・自動車電話・ページャ等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する。また、監視者が送信した電子メールに対する被監視者の操作情報を自動認識して監視者に通知することで、被監視者が当該電子メールを読んだかどうかを確認することもできる。
【００１５】
請求項６は、図１の被監視者の携帯電話１の待受けアプリケーションや常駐アプリケーションで、目覚まし時計のアラーム作動時刻の設定や安否確認結果の送付先アドレスを、被監視者の携帯電話１だけではなく、監視者のパソコン３や携帯電話４からも遠隔操作で登録可能にし、被監視者がアラームの音や振動・光等をボタン操作やタッチパネル・文字入力・音声入力・人感センサー等により停止したか一定時間停止しなかったか等の操作情報を自動認識し、自動認識した結果をサーバ２に送付し、サーバ２から公衆回線網による加入電話・ファクシミリ・アイエスディーエヌ・パソコン通信、携帯電話・パーソナルハンディホン・自動車電話・ページャ等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網５を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者のパソコン３や携帯電話４に送信し、パソコン３や携帯電話４のディスプレイ・ランプ・プリンタ・コピー機・プロジェクタ・スピーカ・ヘッドホン等の出力装置に出力して安否を通知する。また、被監視者の携帯電話１のバッテリーが切れていたり電源がオフになっていたりアラーム設定を解除していたりしてアラームが作動しなかったために携帯電話１から通信が来なかったことをサーバ２で検知し、サーバ２から公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網５を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等の情報で、監視者のパソコン３や携帯電話４に状況を伝達する。
【００１６】
請求項７は、図１の被監視者の携帯電話１の待受けアプリケーションや常駐アプリケーションで、携帯電話１の待受け画面に監視者のパソコン３や携帯電話４またはサーバ２から送付された音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等を自動的に表示・出力したり、表示・出力した内容に対し被監視者が方向キーやファンクションキーを押す等の簡単なボタン操作やタッチパネル・文字入力・音声入力・人感センサー等で意思を入力し、入力した情報を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網５を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者のパソコン３や携帯電話４に送信し、パソコン３や携帯電話４のディスプレイ・ランプ・プリンタ・コピー機・プロジェクタ・スピーカ・ヘッドホン等の出力装置に出力して安否を通知する。例えば、機械操作が苦手な老人・要介護者・障害者・病人・乳幼児等の被監視者の携帯電話等の情報通信端末や電化製品の待受け画面に、監視者が送信したコメント・メッセージ・質問・電子メール・写真・動画等を自動的に表示・出力し、被監視者が方向キーやファンクションキーを押す等の簡単なボタン操作やタッチパネル・文字入力・音声入力・人感センサー等で意思を選択して監視者に送信し安否を通知する。また、当該アプリケーションをインストールした情報通信端末同志の待受け画面で、何度もボタン操作することなく、テレビ電話やネットワーク型ゲームを実現し、相手方の安否を確認することもできる。
【００１７】
請求項８は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末の待受けアプリケーションや常駐アプリケーション、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の待受けアプリケーションや常駐アプリケーションで、当該情報通信端末や当該電化製品の待受け画面に相手方の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、ニュース・占い・天気予報・緊急放送・災害情報・災害用伝言板・伝言板・道路交通情報・テレビやラジオの番組表・写真・テレビ番組・映画・プロモーションビデオ・商品情報・広告・アンケート・懸賞・くじ・為替・株式・囲碁・将棋・釣情報等を自動的に取得し、取得した情報を当該情報通信端末や当該電化製品の待受け画面に自動的に表示・出力し、表示・出力した内容に対し被監視者が方向キーやファンクションキーを押す等の簡単なボタン操作やタッチパネル・文字入力・音声入力・人感センサー等で意思を入力し、入力した情報を公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に送信し、当該監視者の情報通信端末や電化製品のディスプレイ・ランプ・プリンタ・コピー機・プロジェクタ・スピーカ・ヘッドホン等の出力装置に出力して安否を通知する。例えば、携帯電話等の情報通信端末の待受け画面をカスタマイズして、受取る側が最も欲しい情報を自動的に待受け画面に表示することで、何度もボタン操作することなく、必要な情報を入手することができる。また、待受け画面に自動的に表示したニュース・占い・天気予報等を、被監視者が見たことを監視者に通知し安否を確認する。さらに、待受け画面に自動的に配信され表示・出力した広告を、受取った側が視聴したことを確認し、通信費を無料または割引にしたり、電子マネーやポイントが貯まるようにすることもできる。
【００１８】
請求項９は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品で、家族・介護者・医者・飼い主等の監視者の声・声のパターンや発信者番号・アドレスを登録し、当該情報通信端末や当該電化製品に相手方の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品から、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて送信された、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等の情報の中から、登録した家族や介護者・医者・飼い主等の監視者の声・声のパターンや発信者番号・アドレスを自動認識し、自動認識した結果を音声・信号・光・データ・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のディスプレイ・ランプ・プリンタ・コピー機・プロジェクタ・スピーカ・ヘッドホン等の出力装置に出力して、家族・介護者・医者・飼い主等の監視者の声・声のパターンや発信者番号・アドレスと一致するか否かを通知する。これにより、老人・要介護者・障害者・病人・妊婦・胎児・乳幼児等の被監視者に情報通信網を通じて送信された音声・文字・電子メール等が、家族・介護者・医者等の監視者本人のものであることを確認し、振込め詐欺や不法侵入等を防止することができる。さらに、発信者番号・アドレスごとに、携帯電話・パーソナルハンディホンシステム・固定電話機等の情報通信端末の着信音を変え、監視者からの着信であることを確認し受話器を取ることもできる。なお、家族・介護者・医者等の監視者の声や声のパターンは、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、ＩＣレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー、カーナビゲーションシステム・管理システム・監視システム、銀行エーティーエム・両替機・自動販売機・券売機・ポスシステム・レジスター、無線機・レーダー・ジーピーエス・魚群探知機・リモコン・ゲーム機等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品の集音マイクで集音し登録する方法と、情報通信網を通じて当該情報通信端末や当該電化製品に送信された音声を登録する方法がある。
【００１９】
請求項１０は、被監視者の携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に、請求項１から９のいずれか１項に記載の生活見守りシステムをプリインストール、またはネットワークを通じてダウンロードしたりメディアからインストールして実行し、公衆回線網による加入電話・ファクシミリ・アイエスディーエヌ・パソコン通信、携帯電話・パーソナルハンディホン・自動車電話・無線呼出等のモバイル通信、警察・消防用無線・タクシー無線等の業務用無線や地域防災無線・パーソナル無線、衛星通信、パケット通信・専用線・ワイドエリアネットワーク・ローカルエリアネットワーク・イーサネット（登録商標）・赤外線等によるデータ通信、ダイヤルアップやデジタル加入者線（ディーエスエル）・ケーブルテレビ（シーエーティーブイ）・光ファイバー・無線・電力線通信（電灯線通信）等のブロードバンドによるインターネット等の情報通信網を通じて、音声・データ・光・信号・ファクシミリ・文字・電子メール・メールマガジン・メールアドレス・電子掲示板・チャット・ブログ・ホームページ・ユーアールエル・バーコード・二次元バーコード・アイピー電話・テレビ電話・静止画・動画・アニメーション・ゲーム等で、自動認識した情報を携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、アイシーレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー・アンテナ、放送システム・通信システム・医療システム・管理システム・気象観測システム・監視システム・セキュリティシステム・カーナビゲーションシステム・交通システム・航空管制システム、銀行エーティーエム・両替機・自動販売機・券売機・ポスシステム・レジスター、無線機・レーダー・ジーピーエス・魚群探知機、リモコン・ゲーム機・ロボット等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品のディスプレイ・ランプ・プリンタ・コピー機・プロジェクタ・スピーカ・ヘッドホン等の出力装置に出力して安否を通知する生活見守り方法。この方法は、携帯電話・パーソナルハンディホン・自動車電話・ページャ・固定電話機・ファクシミリ、パソコン・コンピュータ・サーバ・携帯情報端末、中央処理装置やハードディスク・フロッピーディスク（登録商標）・ユーエスビーメモリ・フラッシュメモリ・メモリ等の記憶装置やマウス・キーボード・スキャナ・マイク等の入力装置やディスプレイ・ランプ・プリンタ・コピー機・プロジェクタ・スピーカ・ヘッドホン等の出力装置やターミナルアダプタ・モデム・ルータ・ローカルエリアネットワーク・通信カード等の通信装置のうち少なくとも１つを有する装置、電波時計・インターネット接続型時計等のネットワーク接続型機器、ＩＣレコーダ・デジタルオーディオプレーヤー・デジタルカメラ・デジタルビデオ・ビデオレコーダ・ハードディスクレコーダ・ディーブイディーレコーダ・デジタルテレビ・テレビチューナー、カーナビゲーションシステム・管理システム・監視システム、銀行エーティーエム・両替機・自動販売機・券売機・ポスシステム・レジスター、無線機・レーダー・ジーピーエス・魚群探知機・リモコン・ゲーム機等の情報通信端末や、テレビ・ラジオ・ステレオ・コンポ・カラオケ・電子楽器、ライト・電子レンジ・オーブン・トースター・コーヒーメーカー・ミキサー・食器洗い機・精米機・冷蔵庫・生ごみ処理機、アイロン・プレッサー・ミシン・掃除機・乾燥機・洗濯機、こたつ・ストーブ・ヒーター・ホットカーペット・扇風機・エアーコンディショナー等の冷暖房機、空調機・除湿器・加湿器・エアクリーナー・酸素発生器・マイナスイオン発生器・換気扇、電動車椅子・電気自動車・電動自転車、心音計・血圧計・電子体重計・体脂肪計・電子体温計・補聴器・治療器等の医療器具、電子歩数計・電動歯ブラシ・電気シェーバー・ドライヤー・美容機器・マッサージ機器・整水器・浄水器・温水洗浄便座等の健康器具、電気・ガス・水道等のメータ類、電子温度計・湿度計・気圧計・風速計・雨量計・日射計・震度計等の気象計器、照度計・騒音計・水質計・臭気測定器・花粉測定器等の測定器、アールエフアイディー・位置・傾斜・振動・速度・電磁波・放射線・光・紫外線・赤外線・マイクロ波・磁気・電流・電圧・色・ペーハー等のセンサー・セキュリティ機器等の電化製品に、請求項１から９のいずれか１項に記載の生活見守りシステムをプリインストール、またはネットワークを通じてダウンロードしたりメディアからインストールして実行し、ソフトウェアとして内部組込みとすることにより専用のハードウェアを不要とし、当該情報通信端末や当該電化製品との親和性を高めることができる。
【図面の簡単な説明】
【００２０】
【図１】目覚まし機能を利用した生活見守りシステムを示した概要図である。
【図２】目覚まし機能を利用した生活見守りシステムを示したフローチャートである。
【図３】音声認識を利用した生活見守りシステムを示した概要図である。
【図４】音声認識を利用した生活見守りシステムを示したフローチャートである。
【符号の説明】
【００２１】
１  被監視者の携帯電話
２  サーバ
３  監視者のパーソナルコンピュータ
４  監視者の携帯電話
５  公衆回線網・モバイル通信・データ通信・インターネット等の情報通信網
１０  老人・要介護者・障害者・病人・妊婦・胎児・乳幼児・ペット等の被監視者
２０  中央処理装置
３０  入力装置
４０  記憶装置
５０  通信装置
６０  サーバ
７０  監視者のパーソナルコンピュータ
８０  監視者の携帯電話
９０  公衆回線網・モバイル通信・データ通信・インターネット等の情報通信網
Ｓ１１  目覚まし時刻・メッセージと安否送付先を登録
Ｓ１２  目覚まし時刻にアラーム作動とメッセージ表示
Ｓ１３  アラームが止められたか？
Ｓ１４  パーソナルコンピュータまたは携帯電話に止められた旨とメッセージ表示
Ｓ１５  パーソナルコンピュータまたは携帯電話に止められなかった旨表示
Ｓ２１  音声を登録
Ｓ２２  音声をモニター
Ｓ２３  音声が認識されたか？
Ｓ２４  パーソナルコンピュータまたは携帯電話にメッセージ表示
【図１】
2005196812.tif 000003
【図２】
2005196812.tif 000004
【図３】
2005196812.tif 000005
【図４】
2005196812.tif 000006